(57)【要約】【課題】フラスコ等の理化学容器内の液体が内部へ浸入するのを防止できる加熱装置を提供する。【解決手段】理化学容器等の容器を加熱する加熱装置であって、筒状胴部１０を有する金属板製のハウジング１と、胴部の上端を閉塞する天板部２０の略中央部に前記容器の略下半部を収容し得る上端開口の熱交換用収容部２１を有し、前記収容部を胴部内の略上半部側に配置して胴部と一体的に形成して設けた金属板製の加熱部２とを備える。ハウジングの胴部内に収容部を加熱する発熱体３を設ける。【選択図】図１
0003155697.tif 000002
【実用新案登録請求の範囲】
【請求項１】
理化学容器その他の容器を加熱する加熱装置であって、
筒状胴部を有する金属板製のハウジングと、
前記胴部の上端を閉塞する天板部と、この天板部の略中央部に形成した上端開口の熱交換用収容部とを有し、前記収容部を前記胴部内の略上半部側に配置して前記胴部と一体的に形成して設けた金属板製の加熱部と、
前記ハウジングの前記胴部内に配置され、前記収容部を加熱する発熱部と、
を備えていることを特徴とする、加熱装置。
【請求項２】
前記熱交換用収容部は、前記理化学容器その他の容器の略下半部の形状と略対応する形状に形成されていることを特徴とする、請求項１に記載の加熱装置。
【請求項３】
前記熱交換用収容部は、概略半円球状の内壁面を有する概略容器状に形成されていることを特徴とする、請求項１又は２に記載の加熱装置。
【請求項４】
前記熱交換用収容部は、概略有底円筒状の内壁面を有する概略容器状に形成されていることを特徴とする、請求項１又は２に記載の加熱装置。
【請求項５】
前記熱交換用収容部の底部から突出させて設けられ、前記収容部内と前記ハウジング外とを連通するドレーン管路をさらに備えていることを特徴とする、請求項１ないし４のいずれかに記載の加熱装置。
【考案の詳細な説明】
【技術分野】
【０００１】
本考案は、理化学容器その他の容器を加熱する加熱装置に関する。さらに詳しくは、主に、例えば反応，蒸留，分留，抽出その他の各種の理化学実験において、フラスコやビーカーその他の理化学容器を加熱する加熱装置に関する。
【背景技術】
【０００２】
従来、例えば理化学容器を加熱する加熱装置として、例えば図５に示すものが一般に知られている。この従来の加熱装置（一般にマントルヒーターと称されている）は同図に示すように、耐熱性の炉台１００の上部中央にフラスコ等、理化学ガラス器具等の容器１０１の略下半部の形状と適合する形状の半円球状の加熱用収容部１０２を形成すると共に、収容部１０２の周囲にヒーター１０３（発熱部）を配設する。そして、前記収容部１０２内に容器１０１の下半部を収容して載置し、容器１０１を加熱するように構成してある。
また、炉台１００は金属板製の外装容器１０４内に収容され、この容器１０４の開口上端には内方へ折曲した環状フランジ１０５が形成され、このフランジ１０５を炉台１００の上端面における周縁部に当接して炉台を押さえるように構成してある。同図において１０６は差込プラグを示す。なお、図５の加熱装置は炉台１００を外装容器１０４に収容したものを例示したが、前記容器１０４を具備しないものもある（例えば、特許文献１参照）。
【０００３】
上記構成の従来の加熱装置は次のような問題を有している。即ち、前記炉台１００はグラスウール，ロックウール，セラミック繊維等の布地材を重ね合わせて構成され、通気性（ガス流通性）を有している。そして、炉台１００は前記収容部１０２を含め、上端側のほとんどの部分が外部に露呈している。そのため、例えば使用中にフラスコ等の理化学容器が破損したり、サンプル（液体）が吹きこぼれた場合、或いは垂れ流した場合などには、サンプルが炉台内に浸み込んでヒーター１０３部に達してヒーター（一般にニクロム線）を腐蝕させる原因になると共にサンプルがアルコール類の場合には発火する危険性がある。
また、例えば実験室内のガス雰囲気中には、エーテル等のアルコールガスが含まれていることが多く見られるが、上記従来の加熱装置は炉台の上部から炉台内へガスの流通性があり、そのため、いわば略裸火と同じことになる。したがって、この面においても危険性を有しているとの指摘がされている。
【先行技術文献】
【特許文献】
【０００４】
【特許文献１】特開平９−２５５７１５号公報
【考案の概要】
【考案が解決しようとする課題】
【０００５】
本考案は上記したような実情に鑑みてなされたもので、理化学容器その他の容器が破損したり、サンプルが吹きこぼれてもサンプルが内部へ浸入するのを防止すると共に実験室内等のガスが内部へ流通するのを防止できる加熱装置を提供することを目的とするものである。本考案の他の目的の１つは、前記容器への熱伝導効率性を向上し得る加熱装置を提供することにある。
【課題を解決するための手段】
【０００６】
上記目的を達成するため、本考案のうち１つの考案（第１の考案）は、理化学容器その他の容器を加熱する加熱装置であって、
筒状胴部を有する金属板製のハウジングと、
前記胴部の上端を閉塞する天板部と、この天板部の略中央部に形成した上端開口の熱交換用収容部とを有し、前記収容部を前記胴部内の略上半部側に配置して前記胴部と一体的に形成して設けた金属板製の加熱部と、
前記ハウジングの前記胴部内に配置され、前記収容部を加熱する発熱部と、
を備えていることを特徴とする。
なお、本考案において、「一体的に形成」の用語は、加熱部と筒状胴部とを溶接等の手段で一体化する構成及び両者を同一素材で一体成形加工する構成の両方を含む概念として用いられている。
【０００７】
本考案のうち、他の１つの考案（第２の考案）は、第１の考案の加熱装置において、前記熱交換用収容部は、前記理化学容器その他の容器の略下半部の形状と略対応する形状に形成されていることを特徴とする。
【０００８】
本考案のうち、さらに他の１つの考案（第３の考案）は、第１又は第２の考案の加熱装置において、前記熱交換用収容部は、概略半円球状の内壁面を有する概略容器状に形成されていることを特徴とする。
【０００９】
本考案のうち、さらに他の１つの考案（第４の考案）は、第１又は第２考案の加熱装置において、前記熱交換用収容部は、概略有底円筒状の内壁面を有する概略容器状に形成されていることを特徴とする。
【００１０】
本考案のうち、さらに他の１つの考案（第５の考案）は、第１ないし第４のいずれかの考案の加熱装置において、前記熱交換用収容部の底部から突出させて設けられ、前記収容部内と前記ハウジング外とを連通するドレーン管をさらに備えていることを特徴とする。
【考案の効果】
【００１１】
本考案によれば、次のような作用効果を奏する。
（１）使用中にフラスコ等の理化学容器その他の容器が破損したり、或いはサンプル（液体）が吹きこぼれ、或いは垂れ流れても、サンプルが加熱装置のハウジング内へ浸入するのを防止できる。
（２）加熱装置の上部側からハウジング内へガスが流通するのを防止してある。したがって、例えば、実験室内等のアルコール類を含むガス雰囲気がハウジング内に入って発火する危険性を防止することができる。
（３）理化学容器その他の容器への熱伝導効率性を向上させることができる。
（４）第５の考案によれば、前記効果に加え、熱交換用収容部内へ流入したサンプル等の液体をドレーン管路を通じて外部（ハウジング外）へ簡単、かつ、迅速良好に排出することができる。
【図面の簡単な説明】
【００１２】
【図１】本考案の一実施形態の加熱装置の構成を概略的に示す縦断面図である。
【図２】図１の加熱装置に採用したハウジング及び加熱部の構成を概略的に示す縦断面図である。
【図３】前記加熱装置に採用した発熱部及びヒーター支持部の構成を概略的に示す底部側から見た斜視図である。
【図４】本考案の他の実施形態の加熱装置の構成を概略的に示す縦断面図である。
【図５】従来の加熱装置の一例の構成を概略的に示す縦断面図である。
【考案を実施するための形態】
【００１３】
以下、図面を参照して本考案の加熱装置の実施形態の一例について説明する。
【００１４】
図１ないし図３は、本考案の一実施形態（実施形態１）の加熱装置を示す。これら図１ないし図３に示すように、実施形態１の加熱装置は、ハウジング１と、加熱部２と、発熱部３（ヒーター）とを備える。
【００１５】
ハウジング１は、ステンレス鋼板や鉄板その他の金属板で構成され、所望の大きさの円筒状や角筒状等（実施形態１では円筒状）の筒状胴部１０を有する。実施形態１のハウジング１は前記胴部１０の下端に底蓋部１１を設けてある。図示の底蓋部１１は、胴部１０内に嵌合する円筒体１２の下端を底板１３で閉塞して構成され、この底蓋部１１の円筒体１２を胴部１０の下端部に嵌合し、円筒体１２を胴部１０の下端部にネジ１４及びナット１５で固定して設けてある。実施形態1では、前記ナット１５は円筒体１２の所定部に溶接その他の手段で固定されている。この場合、底蓋部１１は、図示の状態と天地逆、即ち、底板１３側を上方部に位置させて、胴部に固定する構成を採用してもよい。この構成を採用する場合には、ナット１５は円筒体１２に溶接等で固定しなくてもよい。
【００１６】
前記加熱部２は、ステンレス鋼板や鉄板その他の金属板で構成されている。加熱部２は、前記胴部１０の上端を閉塞する天板部２０と、この天板部２０の略中央部に形成され、フラスコやビーカー等の理化学容器その他の容器２００を収容して加熱する上端開口の熱交換用収容部２１（加熱用収容部）とを有している。前記加熱部２は、収容部２１を胴部１０内の略上半部側に配置し、胴部１０と一体的に形成してハウジング１に設けてある。
実施形態１では、天板部２０の外周縁の全体を胴部１０の上縁に溶接１８して胴部１０と一体的に形成してある。この場合において、加熱部２と胴部１０は、同一の金属板素材により一体成形加工する構成を採用してもよいこと勿論である。この変形態様の構成については、後述する実施形態においても同様である。
【００１７】
前記容器２００は、その略下半部を収容部２１内に収容して加熱される。実施形態１の加熱装置は丸底フラスコの容器の加熱用に構成され、前記収容部２１は前記容器２００（図示では丸底フラスコ）の略下半部の形状と略対応する形状の内壁面を有する概略半円球状の概略容器状に形成したものが開示されている。この場合、例えばビーカー等の容器の加熱用に構成する場合には、収容部２１を前記容器の形状と略対応する形状の内壁面を有する概略有底円筒状等の概略容器状に形成することができるものである。この点については、後述する実施形態においても同様である。
【００１８】
前記発熱部３（ヒーター）は、加熱部２の収容部２１を加熱するものである。実施形態１は発熱部３としてシーズヒーターを採用している。シーズヒーターは、例えば、金属管の中心に発熱線を挿入すると共に前記管内に絶縁粉末を充填し、これを圧縮加工する等により構成したヒーターである。このシーズヒーターは任意の形状に製作でき、一般に市販されている。この市販品のうちから任意に選択して採用できる。本実施形態では、収容部２１の中間部の位置より幾分底部側の径と対応する直径の円形状の略二重巻型状に形成した円形部３０の両端を略直角状に折曲して直線部３１ａ，３１ｂを形成した形状のものを採用している。本実施形態の前記ヒーターは、円形部３０の部位を発熱させる発熱部で構成し、直線部３１ａ，３１ｂの部位を非発熱部で構成してある。
【００１９】
本実施形態の加熱装置は、ステンレスや鉄板その他の金属板等で構成したヒーター支持部４を備える。前記支持部４は、図３に詳細に示すように、基板４０と、基板４０から延設され、円形部３０を支持させる複数本（図示では４本）の支持片４１ａ，４１ｂ，４１ｃ，４１ｄとを備える。前記各支持片４１ａ…４１ｄの長さは円形部３０の径とそれぞれ対応する長さに形成されている。支持部４の基板４０の中心部には、後述するネジ棒を貫通させる貫通孔４２が設けてある。
【００２０】
発熱部３は、円形部３０を収容部２１の底部側に当接させて支持部４の各支持片４１ａ…４１ｄで支持させて設けてある。実施形態１では、加熱部２の収容部２１の底部の中央部に、適当な径の受皿状の短筒部２２を備え、短筒部２２の中心部から適当な径及び長さのネジ棒２３を突出させて設けてある。そして、発熱部３の円形部３０を収容部２１の底部側に当接すると共に支持部４の貫通孔４２にネジ棒２３を貫通させて各支持片で円形部を支持させ、その状態でナット２４で締付けて支持部４を収容部の短筒部２２に固定してある。
【００２１】
上記により、発熱部３は円形部３０を収容部２１の底部側に当接した状態で支持部４によって安定して支持されている。そして、収容部２１は発熱部３により略全体的に加熱されるように構成されている。
【００２２】
発熱部３のリード線３２はハウジング１外に導出される。本実施形態では、ハウジング１の底蓋部１１の底板１３に孔１６を設け、リード線３２を前記孔１６から導出させてある。図１において、３３はリード線３２（コード）の先端に取付けた差込プラグを示す。
【００２３】
なお、実施形態１では、発熱部３としてシーズシーターを採用した例を開示したが、発熱部３はニクロム線等の発熱線等で構成したものを採用できること勿論である。この点については、後述する実施形態においても同様である。
【００２４】
本実施形態の加熱装置は、ハウジング１内に断熱性を付与させる断熱部材５が充填されている。断熱部材５としては、特に限定するものではないが、例えばグラスウールやロックウール、或いはセラミック繊維その他の耐熱性かつ絶縁性を有する綿状や布地状に形成した部材を採用できる。前記断熱部材５は、上述したように発熱部３を支持部４で支持させてセットした後、ハウジングの胴部１０内に充填される。次いで胴部１０の下端部に底蓋部１１を取付ける。
【００２５】
本実施形態１の加熱装置は上記のように構成され、これを単独、或いは図示しない架台やラック上等にセットして使用される。この加熱装置は、例えば、従来と同様にサンプル等を入れた前記容器２００（図示では丸底フラスコ）の略下半部を収容部２１内に収容し、電源スイッチ（図示せず）をＯＮにして発熱部３で収容部２１を介して容器２００を加熱し、従来と全く同様に蒸留，分留，反応，抽出その他の各種の理化学実験等を行なうものである。
【００２６】
図４は本考案の他の実施形態（実施形態２）の加熱装置を示す。実施形態２の加熱装置において、実施形態１で既に説明した構成と共通する構成部等には同一符号を付して説明を省略する。実施形態２の加熱装置は、実施形態１の加熱装置において、ドレーン管路を設けた構成に特徴がある。
【００２７】
図４に示すように、実施形態２の加熱装置はドレーン管路６を備える。ドレーン管路６は、加熱部２の熱交換用収容部２１の底部から突出させて設け、収容部２１内とハウジング１外とを連通させ、収容部２１内に流入したサンプル等の液体等を外部へ排出（流出）させるものである。
【００２８】
実施形態のドレーン管路６は、適当な径及び長さのステンレス製や鉄製その他の金属製の第１の管体６０と、第２の管体６１とを備える。また、収容部２１に設けた前記短筒部２２の中心部には第１の管体６０を貫挿する孔２５が設けてある。そして、第１の管体６０は前記孔２５に貫挿して短筒部２２に溶接等で固着して設けてある。
【００２９】
第１の管体６０の外周面にはネジ溝６２（雄ネジ溝）が刻設されている。また、実施形態２のヒーター支持部４の基板４０の略中央部には、第１の管体６０を貫通させる貫通孔（符号省略）が設けてある。そして、実施形態１と同様に発熱部３の円形部３０を収容部２１の底部側に当接すると共に支持部４の基板４０の貫通孔に第１の管体６０を貫通させて各支持片４１ａ…４１ｄで円形部３０を支持させ、その状態でナット６３を前記管体６０に螺合して締付けて支持部４を収容部の短筒部２２に固定してある。
【００３０】
上記により、実施形態１と同様に、発熱部３は円形部３０を収容部２１の底部側に当接した状態で支持部４によって安定して支持される。そして、収容部２１は発熱部３により略全体的に加熱されるように構成される。
【００３１】
前記第１の管体６０の下端部側の内周壁面には雌ネジ溝（符号省略）が設けてある。また、第２の管体６１の一端側の外周壁面には、前記ネジ溝と螺合する雄ネジ溝（符号省略）が設けてある。そして、第２の管体６１は前記一端側を第１の管体６０に螺合して接続されている。
【００３２】
第２の管体６１の他端側（図４において下端側）は底蓋部１１の底板１３に設けた孔１７を貫通させてハウジング１外に突出させ、突出端により排出口６４（流出口）を形成するように構成してある。これにより、収容部２１には、収容部２１の底部の略中心部とハウジング１外の下端側の外部とを連通するドレーン管路６が形成されている。したがって、収容部３０内へ流入したサンプル等の液体はドレーン管路６を通じてハウジング外へ排出（流出）される。
【００３３】
発熱部３のリード線３２は底蓋部１１の底板１３に設けた孔１６Ａからハウジング１外に導出させてある。なお、実施形態２の底蓋部１１は、実施形態１の底蓋部と天地逆、即ち、底板１３側を上方部に位置させて胴部１０に嵌合し、ネジ１４及びナット１５で胴部１０に固定して設けてある。他の構成は実施形態１と同様である。
【００３４】
実施形態２の加熱装置は上記のように構成され、実施形態１の加熱装置と同様に使用される。これにより、実施形態１と同様の作用効果を奏する。加えて、実施形態２の加熱装置によれば、熱交換用収容部内へ流入したサンプル等の液体をドレーン管路を通じて外部（ハウジング外）へ簡単、かつ、迅速良好に排出することができる。
【００３５】
なお、上記した各実施形態の加熱装置は一例として開示したもので、本考案は上記実施形態に限定されるものではなく、実用新案登録請求の範囲に記載の技術思想を越脱しない範囲において任意に変更可能なものである。
【符号の説明】
【００３６】
１      ハウジング
２      加熱部
３      発熱部
１０    筒状胴部
２０    天板部
２１    熱交換用収容部
【図１】
0003155697.tif 000003
【図２】
0003155697.tif 000004
【図３】
0003155697.tif 000005
【図４】
0003155697.tif 000006
【図５】
0003155697.tif 000007